(57)【要約】【課題】高さ制限を超えた車両に対して、高さ制限を超えていることを安全に知らせることができる高さ制限超過通報装置を提供する。【解決手段】発光器１１が、通路１の脇に設置され、通路幅方向に、高さ制限に対応する高さで水平に信号光を放射する。反射部材１２が、通路１を挟んで発光器１１に対向して設置され、発光器１１から放射された信号光を発光器１１に向けて反射する。発光器１１は、反射部材１２により反射された信号光を受光部で受け、信号光の車両による遮断状態を検出して検出信号を出力する。無線送信機１３が、発光器１１の受光部に接続されて、受光部から検出信号を入力したとき、無線信号を送信する。無線受信機１６が、無線送信機１３からの無線信号を受信する。警報器１５が、無線受信機１６から受信信号を入力したとき、車両２に対して光および音声により警報を発し、高さ制限を超えていること知らせる。【選択図】図１
0003189993.tif 000002
【実用新案登録請求の範囲】
【請求項１】
車両が高さ制限を超えていることを知らせるための高さ制限超過通報装置であって、
車両の通路の脇に設置され、前記高さ制限の高さで通路幅方向に信号光を放射する発光器と、
前記発光器と前記通路を挟んで対向して設置され、前記発光器から放射された信号光を前記高さ制限の高さに反射するよう設けられた反射部材と、
前記発光器に設けられ、前記反射部材により反射された信号光を受け、前記信号光の車両による遮断状態を検出して検出信号を出力する受光部と、
前記受光部の検出信号に応じて警報を発する警報器とを、
有することを特徴とする高さ制限超過通報装置。
【請求項２】
前記受光部の検出信号を入力して無線信号を送信する無線送信機と、
前記無線送信機からの前記無線信号を受信して受信信号を出力する無線受信機とを有し、
前記警報器は前記無線受信機から前記受信信号を入力したとき警報を発する構成を有することを、
特徴とする請求項１記載の高さ制限超過通報装置。
【請求項３】
蓄電池と太陽光発電装置とを備え、前記太陽光発電装置により発電した電力を前記蓄電池に蓄電し、前記蓄電池から前記発光器および前記受光部に電力を供給可能に設けられた発光・受光用電源部と、
蓄電池と太陽光発電装置とを備え、前記太陽光発電装置により発電した電力を前記蓄電池に蓄電し、前記蓄電池から前記警報器に電力を供給可能に設けられた警報用電源部とを、
有することを特徴とする請求項１または２記載の高さ制限超過通報装置。
【考案の詳細な説明】
【技術分野】
【０００１】
本考案は、高さ制限超過通報装置に関する。
【背景技術】
【０００２】
従来、高さ制限表示装置として、高さ制限に対応する高さで、高さ制限を表示した表示体を、道路を横断するよう取り付けたものや（例えば、特許文献１参照）、図３に示すように、高さ制限に対応する高さで道路を横断するようロープ５１を張り、目立つようにそのロープに赤い三角形の布５２を並べて垂らしたものなどがある。
【先行技術文献】
【特許文献】
【０００３】
【特許文献１】特開２０１２−１８８８５１号公報
【考案の概要】
【考案が解決しようとする課題】
【０００４】
しかしながら、特許文献１や図３のような高さ制限表示装置は、高さ制限を超えた車両２が通過する際に、表示板やロープ５１に引っ掛かるため、表示板やロープ５１を支える支柱５３を倒したり、表示板や通過する車両２等が破損したりする恐れがあり、危険であるという課題があった。
【０００５】
本考案は、このような課題に着目してなされたもので、高さ制限を超えた車両に対して、高さ制限を超えていることを安全に知らせることができる高さ制限超過通報装置を提供することを目的とする。
【課題を解決するための手段】
【０００６】
上記目的を達成するために、本考案に係る高さ制限超過通報装置は、車両が高さ制限を超えていることを知らせるための高さ制限超過通報装置であって、車両の通路の脇に設置され、前記高さ制限の高さで通路幅方向に信号光を放射する発光器と、前記発光器と前記通路を挟んで対向して設置され、前記発光器から放射された信号光を前記高さ制限の高さに反射するよう設けられた反射部材と、前記発光器に設けられ、前記反射部材により反射された信号光を受け、前記信号光の車両による遮断状態を検出して検出信号を出力する受光部と、前記受光部の検出信号に応じて警報を発する警報器とを、有することを特徴とする。
【０００７】
本考案に係る高さ制限超過通報装置は、高さ制限を超えた車両が通過すると、高さ制限に対応する高さで発光器から放射された信号光や、その信号光が反射部材で反射された信号光が車両によって遮られ、受光部が信号光の遮断状態を検出する。その受光部の検出信号に応じて警報器は警報を発する。これにより、通過する車両に高さ制限を超えていることを知らせることができる。なお、警報器は、光、音声またはその両方で警報を発することが好ましい。
【０００８】
本考案に係る高さ制限超過通報装置は、前記受光部の検出信号を入力して無線信号を送信する無線送信機と、前記無線送信機からの前記無線信号を受信して受信信号を出力する無線受信機とを有し、前記警報器は前記無線受信機から前記受信信号を入力したとき警報を発する構成を有することが好ましい。
この場合、受光部が信号光の遮断状態を検出したとき、無線送信機および無線受信機を利用して、無線信号により警報器から警報を発することができる。このため、受光部から警報器までのケーブルの取り回しが不要で、受光部と警報器とを離れた場所に設置するのが容易となる。
【０００９】
本考案に係る高さ制限超過通報装置は、蓄電池と太陽光発電装置とを備え、前記太陽光発電装置により発電した電力を前記蓄電池に蓄電し、前記蓄電池から前記発光器および前記受光部に電力を供給可能に設けられた発光・受光用電源部と、蓄電池と太陽光発電装置とを備え、前記太陽光発電装置により発電した電力を前記蓄電池に蓄電し、前記蓄電池から前記警報器に電力を供給可能に設けられた警報用電源部とを、有することが好ましい。
この場合、商用電源を利用する必要がなく、近くに商用電源がない屋外であっても容易に設置することができる。蓄電池は、日中に太陽光発電装置で発電した電力を蓄え、日中および夜間に発光器や警報器に電力を供給する構成であっても、日中は太陽光発電装置で発電した電力を、まず発光器や警報器に供給し、余った電力を蓄えて、夜間に発光器や警報器に電力を供給する構成であってもよい。
【考案の効果】
【００１０】
本考案によれば、高さ制限を超えた車両に対して、高さ制限を超えていることを安全に知らせることができる高さ制限超過通報装置を提供することができる。
【図面の簡単な説明】
【００１１】
【図１】本考案の実施の形態の高さ制限超過通報装置を示す正面図である。
【図２】図１に示す高さ制限超過通報装置の使用状態を示す斜視図である。
【図３】従来の高さ制限表示装置を示す斜視図である。
【考案を実施するための形態】
【００１２】
以下、図面に基づき本考案の実施の形態について説明する。
図１および図２は、本考案の実施の形態の高さ制限超過通報装置を示している。
図１に示すように、高さ制限超過通報装置１０は、発光器１１と反射部材１２と無線送信機１３と発光用電源部１４と警報器１５と無線受信機１６と警報用電源部１７とを有している。
【００１３】
発光器１１は、高さ制限を行う通路１の脇に設置されている。発光器１１は、通路幅方向に、高さ制限に対応する高さで水平に信号光を放射するよう、支柱１８の上部に取り付けられている。発光器１１には、反射部材１２により反射された信号光を受け、信号光の車両による遮断状態を検出して検出信号を出力する受光部が設けられている。発光器１１は、電力で作動するようになっている。
【００１４】
反射部材１２は、通路１を挟んで発光器１１に対向して設置されている。反射部材１２は、信号光を反射する反射板を有し、発光器１１から放射された信号光を発光器１１に向けて水平に高さ制限の高さで反射するよう、支柱１９の上部に取り付けられている。
【００１５】
無線送信機１３は、支柱１８に取り付けられている。無線送信機１３は、発光器１１の受光部に接続されており、受光部から検出信号を入力したとき、無線信号を送信するよう構成されている。
【００１６】
発光用電源部１４は、電源ボックス２１と蓄電池２２と太陽光発電装置２３とを有している。電源ボックス２１は、無線送信機１３と一体的に支柱１８に取り付けられ、発光器１１に接続されている。蓄電池２２および太陽光発電装置２３は、それぞれ電源ボックス２１に接続されている。発光用電源部１４は、日中には太陽光発電装置２３で発電した電力を、電源ボックス２１を介して発光器１１および無線送信機１３に供給し、余った電力を蓄電池２２に蓄え、夜間には蓄電池２２の電力を、電源ボックス２１を介して発光器１１および無線送信機１３に供給するよう構成されている。
【００１７】
警報器１５は、回転灯１５ａおよびサイレン１５ｂから成り、発光器１１よりも前方の通路１の脇に設置されている。回転灯１５ａおよびサイレン１５ｂは、目立つよう支柱２０の上部に取り付けられている。回転灯１５ａおよびサイレン１５ｂは、電力で作動するようになっている。
無線受信機１６は、支柱２０に取り付けられている。無線受信機１６は、回転灯１５ａおよびサイレン１５ｂに接続されており、無線送信機１３からの無線信号を受信して受信信号を出力するよう構成されている。
警報器１５は、無線受信機１６から受信信号を入力したとき、通路１を走行する車両に対して回転灯１５ａによる光、およびサイレン１５ｂによる音声により警報を発するよう設けられている。
【００１８】
警報用電源部１７は、電源ボックス２４と蓄電池２５と太陽光発電装置２６とを有している。電源ボックス２４は、無線受信機１６と一体的に支柱２０に取り付けられ、警報器１５に接続されている。蓄電池２５および太陽光発電装置２６は、それぞれ電源ボックス２４に接続されている。警報用電源部１７は、日中には太陽光発電装置２６で発電した電力を、電源ボックス２４を介して警報器１５および無線受信機１６に供給し、余った電力を蓄電池２５に蓄え、夜間には蓄電池２５の電力を、電源ボックス２４を介して警報器１５および無線受信機１６に供給するよう構成されている。
【００１９】
次に、作用について説明する。
図２に示すように、高さ制限超過通報装置１０は、高さ制限を超えた車両２が通路１を通過すると、高さ制限に対応する高さで発光器１１から放射された信号光や、その信号光が反射部材１２で反射された信号光が車両２によって遮られ、発光器１１の受光部が信号光の遮断状態を検出する。その受光部の検出信号に応じて警報器１５が警報を発する。これにより、通路１を通過する、高さ制限を超えた車両２に対して回転灯１５ａによる光、およびサイレン１５ｂによる音声で、高さ制限を超えていることを知らせることができる。高さ制限超過通報装置１０は、車両２をロープなどの物体に接触させることなく、車両２が光を遮断することで、高さ制限を超えていることを検出するため、高さ制限を超えていることを安全に知らせることができる。
【００２０】
高さ制限超過通報装置１０は、発光器１１の受光部が信号光の遮断状態を検出したとき、無線送信機１３および無線受信機１６を利用して、無線信号により警報器１５から警報を発することができる。このため、受光部から警報器１５までのケーブルの取り回しが不要で、無線通信が可能な範囲で、発光器１１と警報器１５とを離れた場所に設置するのが容易となる。警報器１５は、車両２に対して光および音声の両方で知らせるため、日中でも夜間でも車両２の運転者に高さ制限を超えていることを気付かせやすい。
【００２１】
発光器１１の電源および警報器１５の電源として、それぞれ蓄電池２２および太陽光発電装置２３、ならびに、蓄電池２５および太陽光発電装置２６を利用するため、商用電源を利用する必要がなく、近くに商用電源がない屋外であっても容易に設置することができる。また、蓄電池２２、２５と太陽光発電装置２３、２６とを併用することにより、日中だけでなく夜間でも作動することができる。
【００２２】
高さ制限超過通報装置１０は、例えば、工事現場から工事車両が出る際に通る道路や、トンネルや高架下などの高さ制限がある場所の手前の道路に設置して使用することができる。工事現場から出る道路に設置することにより、トラックの荷台やクレーンを上げたまま通過する車両に対して、高さ制限を超えていることを報知することができ、一般道路での事故を予防することができる。
【符号の説明】
【００２３】
１  通路
２  車両
１０  高さ制限超過通報装置
１１  発光器
１２  反射部材
１３  無線送信機
１４  発光用電源部
２１  電源ボックス
２２  蓄電池
２３  太陽光発電装置
１５  警報器
１５ａ  回転灯
１５ｂ  サイレン
１６  無線受信機
１７  警報用電源部
２４  電源ボックス
２５  蓄電池
２６  太陽光発電装置
１８、１９、２０  支柱
【図１】
0003189993.tif 000003
【図２】
0003189993.tif 000004
【図３】
0003189993.tif 000005